(57)【特許請求の範囲】
【請求項１】
撮影に関する機能の設定を行う設定手段，
電源のオンとオフとを制御する電源制御手段，
上記電源制御手段により電源オフ指令が与えられたことに応じて，上記設定手段による設定状態を記憶する設定状態記憶手段，
上記電源制御手段によって電源がオンされたことに応じて，上記設定手段により設定されている設定状態と上記設定状態記憶手段に記憶されている設定状態とが異なっているかどうかを判定する第１の設定状態判定手段，ならびに
上記第１の設定状態判定手段によって異なっていると判定されたことに応じて，上記設定状態記憶手段に記憶されている電源オフ時の設定状態および電源オン時の設定状態を報知する第１の報知手段，
を備えた撮像装置。
【請求項２】
電源オン時の上記設定手段の設定状態から電源オフ時の上記設定状態に戻す方法を報知する第２の報知手段，
をさらに備えた請求項１に記載の撮像装置。
【請求項３】
上記第１の設定状態判定手段によって異なっていると判定されたことに応じてカウントするカウント手段，および
上記カウント手段のカウント値がしきい値以上となったことに応じて，上記設定手段の設定変更を禁止するように上記設定手段をロックする自動ロック手段，
をさらに備えた請求項１または２に記載の撮像装置。
【請求項４】
上記設定状態記憶手段は，撮影に関する機能ごとに設定状態を記憶するものであり，
上記第１の設定状態判定手段は，撮影に関する機能ごとに判定を行うものであり，
上記カウント手段は，撮影に関する機能ごとにカウントするものであり，
上記自動ロック手段は，上記カウント手段によりカウントされたカウント値がしきい値を超えた機能の設定をロックするものである，
請求項３に記載の撮像装置。
【請求項５】
電源オン後の上記設定手段の設定状態と上記設定状態記憶手段に記憶されている設定状態とが一致したかどうかを判定する第２の設定状態判定手段，および
上記第２の設定状態判定手段により一致したと判定されたことに応じて報知を停止するように上記第１の報知手段を制御する報知制御手段，
をさらに備えた請求項１から４のうち，いずれか一項に記載の撮像装置。
【請求項６】
上記設定手段の設定状態の保持指令を撮像装置に与える設定状態保持指令手段をさらに備え，
上記設定状態記憶手段は，
上記設定状態保持指令手段によって撮像装置に設定状態保持指令が与えられたことに応じて上記設定手段の設定状態を記憶するものである，
請求項１から５のうち，いずれか一項に記載の撮像装置。
【請求項７】
ユーザによって操作されるものであり，かつ機能設定を禁止するように上記設定手段をロックする手動ロック手段，
をさらに備えた請求項１から６のうち，いずれか一項に記載の撮像装置。
【請求項８】
上記設定状態記憶手段は，撮影に関する機能ごとに設定状態を記憶するものであり，
上記第１の設定状態判定手段は，撮影に関する機能ごとに判定を行うものであり，
上記カウント手段は，撮影に関する機能ごとにカウントするものであり，
上記カウント手段によりカウントされたカウント値がしきい値を超えた機能の設定を，ユーザによって操作され，かつ機能設定を禁止するように上記設定手段をロックする手動ロック手段がロックするように報知する第３の報知手段，
をさらに備えた請求項３または４に記載の撮像装置。
【請求項９】
上記自動ロック手段は，
電源オフ時には通電不要なものである，
請求項３に記載の撮像装置。
【請求項１０】
上記自動ロック手段は，
電源がオンされたことに応じて，あるいはロック解除指令が与えられたことに応じて，上記設定手段のロックを解除するものである，
請求項３に記載の撮像装置。
【請求項１１】
上記自動ロック手段は，
上記カウント手段によりカウントされたカウント値がしきい値を超えたことに応じて，上記設定手段のすべての設定変更を禁止するように上記設定手段をロックするものである，
請求項３に記載の撮像装置。
【請求項１２】
設定手段が，撮影に関する機能の設定を行い，
電源制御手段が，電源のオンとオフとを制御し，
設定状態記憶手段が，上記電源制御手段により電源オフ指令が与えられたことに応じて，上記設定手段による設定状態を記憶し，
第１の設定状態判定手段が，上記電源制御手段によって電源がオンされたことに応じて，上記設定手段により設定されている設定状態と上記設定状態記憶手段に記憶されている設定状態とが異なっているかどうかを判定し，
報知手段が，上記第１の設定状態判定手段によって異なっていると判定されたことに応じて，上記設定状態記憶手段に記憶されている電源オフ時の設定状態および電源オン時の設定状態を報知する，
撮像装置の動作制御方法。
【発明の詳細な説明】
【技術分野】
【０００１】
この発明は，撮像装置およびその動作制御方法に関する。
【背景技術】
【０００２】
ディジタル・カメラ（携帯電話にカメラの機能を持たせたものも含む）には，撮像モード，再生モードなどのモードを設定するモード・ダイアル，マニュアル・フォーカス，オート・フォーカスなどのフォーカシングの種類を設定するフォーカス・スイッチなどの様々な設定装置が設けられている。ディジタル・カメラの電源をオフして，鞄などに入れておくと，それらの設定装置に衝撃が与えられ，設定装置が動いてしまい，設定状態が変わってしまうことがある。ディジタル・カメラの電源をオンして撮影しようとすると，設定状態が変わっていることが分らないことがある。このために，動作電源のオフ時とその後のオン時との設定状態が不一致かどうかを照合し，不一致であると判定されると，操作状態変動を警告するものがある（特許文献１）。【０００３】
また，動作環境の変化を類推し，その結果から設定や状態を初期化するもの（特許文献２），前回の撮像から時間間隔が空いた場合に，次回の撮像でユーザが撮像条件を設定し忘れることを防止するもの（特許文献３），電源オフ時に発生したエラーをユーザに知らせるもの（特許文献４），カメラモードの誤設定を防止するもの（特許文献５）などもある。
【先行技術文献】
【特許文献】
【０００４】
【特許文献１】特開2001-290188号公報
【特許文献２】特開2008-78738号公報
【特許文献３】特開2006-66940号公報
【特許文献４】特開2005-79916号公報
【特許文献５】特開2003-255427号公報
【発明の概要】
【発明が解決しようとする課題】
【０００５】
特許文献１に記載のものでは，動作電源のオフ時とその後のオン時との設定状態が不一致で操作状態に変動があったことを知らせるにすぎないから，どのように変動したかが分らない。また，特許文献２から５に記載のものでは，設定が変更したことも分らない。【０００６】
この発明は，ディジタル・カメラのような撮像装置の電源オフ前後の設定状態がどのように変わったかがわかるようにすることを目的とする。
【課題を解決するための手段】
【０００７】
この発明による撮像装置は，撮影に関する機能の設定を行う設定手段（ディジタル・カメラの筐体表面に設けられている機械的な設定装置），電源のオンとオフとを制御する電源制御手段，上記電源制御手段により電源オフ指令が与えられたことに応じて，上記設定手段による設定状態を記憶する設定状態記憶手段，上記電源制御手段によって電源がオンされたことに応じて，上記設定手段により設定されている設定状態と上記設定状態記憶手段に記憶されている設定状態とが異なっているかどうかを判定する第１の設定状態判定手段，ならびに上記第１の設定状態判定手段によって異なっていると判定されたことに応じて，上記設定状態記憶手段に記憶されている電源オフ時の設定状態および電源オン時の設定状態を報知する第１の報知手段を備えていることを特徴とする。【０００８】
この発明は，上記ディジタル・カメラに適した動作制御方法も提供している。すなわち，この方法は，設定手段が，撮影に関する機能の設定を行い，電源制御手段が，電源のオンとオフとを制御し，設定状態記憶手段が，上記電源制御手段により電源オフ指令が与えられたことに応じて，上記設定手段による設定状態を記憶し，第１の設定状態判定手段が，上記電源制御手段によって電源がオンされたことに応じて，上記設定手段により設定されている設定状態と上記設定状態記憶手段に記憶されている設定状態とが異なっているかどうかを判定し，報知手段が，上記第１の設定状態判定手段によって異なっていると判定されたことに応じて，上記設定状態記憶手段に記憶されている電源オフ時の設定状態および電源オン時の設定状態を報知するものである。【０００９】
この発明によると，電源オフ指令が与えられると，設定手段の設定状態が検出され，その設定状態が設定状態記憶手段（設定状態記憶装置）に記憶される。すると，撮像装置の電源がオフされる。その後，撮像装置の電源がオンされると，電源がオン時の設定手段の設定状態と，設定状態記憶装置に記憶されている電源オフ時の設定手段の設定状態とが異なっているかどうかが判定される。異なっていると，設定状態記憶手段に記憶されている電源オフ時の設定状態と電源オン時の設定手段の設定状態が報知される。電源オフ時の設定状態と電源オン後の設定状態のいずれも分るので，電源がオフされている間に設定手段の設定がどのように変わったかが分るようになる。必要に応じて，電源オフ前の設定状態に戻す必要があるかどうかが分かる。電源オフ前の設定状態に戻す必要がある場合には，簡単に戻すことができる。【００１０】
電源オン時の上記設定手段の設定状態から電源オフ時の上記設定状態に戻す方法を報知する第２の報知手段をさらに備えてもよい。【００１１】
上記判定手段によって異なっていると判定されたことに応じてカウントするカウント手段，および上記カウント手段のカウント値がしきい値以上となったことに応じて，上記設定手段の設定変更を禁止するように上記設定手段をロックする自動ロック手段をさらに備えてもよい。【００１２】
上記設定状態記憶手段は，たとえば，撮影に関する機能ごとに設定状態を記憶するものであり，上記第１の設定状態判定手段は，たとえば，撮影に関する機能ごとに判定を行うものであり，上記カウンタ手段は，たとえば，撮影に関する機能ごとにカウントするものであり，上記自動ロック手段は，たとえば，上記カウンタ手段によりカウントされたカウント値がしきい値を超えた機能の設定をロックするものである。【００１３】
電源オン後の上記設定手段の設定状態と上記設定状態記憶手段に記憶されている設定状態とが一致したかどうかを判定する第２の設定状態判定手段，および上記第２の設定状態判定手段により一致したと判定されたことに応じて報知を停止するように上記第１の報知手段を制御する報知制御手段をさらに備えてもよい。【００１４】
上記設定手段の設定状態の保持指令を撮像装置に与える設定状態保持指令手段をさらに備えてもよい。この場合，上記設定状態記憶手段は，たとえば，上記設定状態保持指令手段によって撮像装置に設定状態保持指令が与えられたことに応じて上記設定手段の設定状態を記憶するものである。【００１５】
ユーザによって操作されるものであり，かつ機能設定を禁止するように上記設定手段をロックする手動ロック手段をさらに備えてもよい。【００１６】
上記設定状態記憶手段は，たとえば，撮影に関する機能ごとに設定状態を記憶するものであり，上記第１の設定状態判定手段は，たとえば，撮影に関する機能ごとに判定を行うものであり，上記カウンタ手段は，たとえば，撮影に関する機能ごとにカウントするものであり，上記カウンタ手段によりカウントされたカウント値がしきい値を超えた機能の設定を，ユーザによって操作され，かつ機能設定を禁止するように上記設定手段をロックする手動ロック手段がロックするように報知する第３の報知手段をさらに備えてもよい。【００１７】
上記自動ロック手段は，たとえば，電源オフ時には通電不要なものである。【００１８】
上記自動ロック手段は，たとえば，電源がオンされたことに応じて，あるいはロック解除指令が与えられたことに応じて，上記設定手段のロックを解除するものでもよい。【００１９】
自動ロック手段は，たとえば，上記カウンタ手段によりカウントされたカウント値がしきい値を超えたことに応じて，上記設定手段のすべての設定変更を禁止するように上記設定手段をロックするものである。
【図面の簡単な説明】
【００２０】
【図１】ディジタル・カメラの斜視図である。
【図２】ディジタル・カメラの電気的構成を示すブロック図である。
【図３】電源オフ処理手順を示すフローチャートである。
【図４】設定状態を示すテーブルである。
【図５】電源オン処理手順を示すフローチャートである。
【図６】表示画面の一例である。
【図７】表示画面の一例である。
【図８】表示画面の一例である。
【図９】表示画面の一例である。
【図１０】ディジタル・カメラの底面図である。
【図１１】電源オフ処理手順を示すフローチャートである。
【図１２】電源オン処理手順を示すフローチャートである。
【図１３】電源オン処理手順の一部を示すフローチャートである。
【図１４】表示画面の一例である。
【図１５】表示画面の一例である。
【図１６】表示画面の一例である。
【図１７】表示画面の一例である。
【図１８】電源オン処理手順の一部を示すフローチャートである。
【図１９】電源オン処理手順の一部を示すフローチャートである。
【図２０】カウント値を示すテーブルである。
【図２１】ロック対象の設定装置を示すテーブルである。
【図２２】表示画面の一例である。
【図２３】電源オフ処理手順を示すフローチャートである。
【図２４】フォーカス・スイッチを示している。
【図２５】表示画面の一例である。
【図２６】電源オン処理手順の一部を示すフローチャートである。
【図２７】表示画面の一例である。
【図２８】電源オフ処理手順を示すフローチャートである。
【図２９】表示画面の一例である。
【図３０】表示画面の一例である。
【図３１】手動ロック装置の構成を示している。
【図３２】規制部材を示している。
【図３３】規制部材を示している。
【発明を実施するための形態】
【００２１】
図１は，この発明の実施例を示すもので，ディジタル・カメラ（撮像装置）１を背面から見た斜視図である。
【００２２】
ディジタル・カメラ１の上面の右側にシャッタ・レリーズ・ボタン２および撮像モードを設定するモード・ダイアル３が形成されている。モード・ダイアル３には，「AUTO」，「Ｐ」，「Ａ」，「Ｓ」，「Ｍ」および「ＳＰ」の各文字が記載されている。「AUTO」は，所定のプログラム線図にしたがって露光量が決定される撮像モードを示している。「Ｐ」は，露光量の補正が行われるプログラム線図にしたがって露光量が決定される撮像モードを示している。「Ａ」は，絞り優先で露光量が決定される撮像モードを示している。「Ｓ」は，シャッタ速度優先で露光量が決定される撮像モードを示している。「Ｍ」は，マニュアル優先で露光量が決定される撮像モードを示している。「ＳＰ」は，シーン・ポジションに応じて露光量が決定される撮像モードを示している。モード・ダイアル３は回転自在であり，その左側に形成されているマーク３Ａの位置に合わせられた各文字に対応するモードにディジタル・カメラ１が設定される。このようにモード・ダイアル３は，回転した位置に応じてディジタル・カメラ１の機能変更を設定するものである（設定装置，設定手段）。ディジタル・カメラ１の上面の中央には再生モードと撮像モードとを切り替えるモード切換スイッチ４（設定装置，設定手段）が設けられている。また，ディジタル・カメラ１の上面の左側には，ディジタル・カメラ１の電源をオン，オフする電源スイッチ５が形成されている。
【００２３】
ディジタル・カメラ１の側面にはフォーカス・スイッチ10が設けられている。このフォーカス・スイッチ10には，レバー11があり，そのレバー11の位置に応じてフォーカシングの方法が変わる。レバー11に対応して，ディジタル・カメラ１の側面には，「ＣＡＦ」，「ＳＡＦ」および「ＭＦ」の文字が記載されている。レバー11は，これらの文字「ＣＡＦ」，「ＳＡＦ」および「ＭＦ」の位置に対応するように移動可能である。「ＣＡＦ」の文字の位置にレバー11が動かされることにより，コンティニュアス・オート・フォーカス（一定周期で連続的にフォーカシングを繰り返す処理）が行われる。「ＳＡＦ」の文字の位置にレバー11が動かされることにより，シングル・オート・フォーカス（オート・フォーカス後に合焦すると，その合焦位置にフォーカス・ロックする処理）が行われる。「ＭＦ」の文字の位置にレバー11が動かされることにより，マニュアル・フォーカスが行われる。フォーカス・スイッチ10もレバー11の位置に応じて，ディジタル・カメラ１の機能を変更するものである（設定装置，設定手段）。
【００２４】
ディジタル・カメラ１の背面には，ほぼ全体に渡って表示画面６が形成されている。表示画面６の右側には，上下左右の矢印が形成されており，これらの矢印が押下可能なボタン７が設けられている。また，表示画面６の右側には，決定ボタン８および取消ボタン９も形成されている。
【００２５】
上述したように，モード・ダイアル３，モード切換スイッチ４，フォーカス・スイッチ10のように，位置に応じてディジタル・カメラ１の機能を変更させる設定装置は，何かにぶつかったりすると，その衝撃により位置が動くことがある。ディジタル・カメラ１の電源が入っていないときに，その位置が動いてしまうと，ユーザは位置が動いたことが分らない。このために，電源をオンしたときに，以前の位置と変わっていることを知らずに撮像してしまい，所望の機能で撮像できないことがある。この実施例では，電源がオフ中に設定装置の設定位置が変わってしまっている場合には，どのように変わったか，その変化の前後をユーザに知らせるものである。
【００２６】
図２は，ディジタル・カメラ１の電気的構成を示すブロック図である。
【００２７】
ディジタル・カメラ１の全体の動作は，制御回路20によって統括される。
【００２８】
制御回路20には，互いにバス接続されているＣＰＵ21，ＲＯＭ22，ＲＡＭ23，フラッシュ・メモリ24およびカウンタ25が含まれている。ＲＯＭ22には，所定の動作プログラムなどが格納されている。ＲＡＭ23は，一時的に必要なデータなど記憶するものである。フラッシュ・メモリ24は，ディジタル・カメラ１の電源がオフされても記憶されている内容が消去されない不揮発性メモリである。
【００２９】
ディジタル・カメラ１には，上述したシャッタ・レリーズ・ボタン２，モード・ダイアル３，モード切換スイッチ４，電源スイッチ５，ボタン７，決定ボタン８，取消ボタン９，フォーカス・スイッチ10などを含む操作装置43が含まれている。操作装置43から出力されるボタンなどの押下等を示す操作信号は，制御回路20のＣＰＵ21に入力する。
【００３０】
ディジタル・カメラ１には電源回路28が含まれている。操作装置43に含まれている電源スイッチ５によって電源がオンされると，電源回路28からディジタル・カメラ１の各回路に電源が供給される。電源スイッチ５によって電源がオフされると，ディジタル・カメラ１の各回路への電源の供給は停止される。但し，ディジタル・カメラ１の電源がオフになっても，電源オン指令の検出などディジタル・カメラ１を起動するのに必要なためにＣＰＵ21には電源が供給される。
【００３１】
ディジタル・カメラ１には，被写体を撮像するための撮像レンズ30，絞り31およびＣＣＤなどの撮像素子32が含まれている。レンズ駆動回路35によって撮像レンズ30のレンズ位置が制御される。また，絞り駆動回路36によって絞り１の開口が制御される。撮像レンズ30によって被写体像を表す光線が集光され，絞り31を通ってＣＣＤのような撮像素子32に入射する。撮像素子制御回路37によって制御される撮像素子32の受光面上に被写体像を表す光像が結像する。これらのレンズ駆動回路35，絞り駆動回路36および撮像素子制御回路37は，撮像系制御回路29によって制御される。
【００３２】
モード切換スイッチ４によって撮像モードが設定されると，撮像素子制御回路37によって撮像素子32が制御され，被写体像を表す映像信号が撮像素子32から出力される。映像信号は，アナログ信号処理回路33において相関二重サンプリング等のアナログ信号処理が行われる。アナログ信号処理回路33から出力された映像信号は，アナログ／ディジタル変換回路34においてディジタル画像データに変換され，ディジタル信号処理回路48に入力する。ディジタル信号処理回路48において，ガンマ補正，自動階調補正，自動白バランス調整などのディジタル信号処理が行われる。
【００３３】
ディジタル信号処理回路48から出力された画像データは，画像メモリ49を介して表示装置47に与えられる。表示装置47の表示画面６上に被写体像が表示される。
【００３４】
シャッタ・レリーズ・ボタン２が押されると，上述したのと同様に，被写体が再び撮像され，被写体像を表す画像データが得られる。画像データは，ディジタル信号処理回路48から画像メモリ49に与えられ，一時的に記憶される。画像データは，画像メモリ49から読み出され，記録／読出制御回路46によって外部メモリ・インターフェイス40に接続されているメモリ・カード41に記録される。必要に応じて画像データに対してデータ圧縮が行われ，圧縮された画像データがメモリ・カード41に記録されるのはいうまでもない。
【００３５】
モード切換スイッチ４によって再生モードが設定されると，記録／読出制御回路46によってメモリ・カード41から被写体像を表す画像データが読み出される。読み出された画像データは，画像メモリ49に与えられ，一時的に記憶される。画像データは，画像メモリ49から読み出され，表示装置47に与えられる。表示装置47の表示画面６上にメモリ・カード41に記録されている画像データによって表される画像が表示される。
【００３６】
さらに，この実施例においては，後述するように，モード・ダイアル３，モード切換スイッチ４，フォーカス・スイッチ10などが動かないようにロックすることができる。このロックには，自動ロックと手動ロックとがあり，そのために，ディジタル・カメラ１には自動ロック装置44および手動ロック装置45も設けられている。
【００３７】
また，ディジタル・カメラ１には，パーソナル・コンピュータを接続することができる。このために外部インターフェイス42がディジタル・カメラ１に設けられている。さらに，ストロボ装置27およびストロボ制御回路26がディジタル・カメラ１に含まれている。
【００３８】
図３は，ディジタル・カメラ１の電源がオフするときの処理手順を示すフローチャートである。
【００３９】
電源スイッチ５によってディジタル・カメラ１に電源オフ指令が与えられると（ステップ51でＹＥＳ），設定装置の設定状態が検出される（ステップ52）。設定装置は，操作装置43のうち，位置が動くことによって機能の設定を変更する機械的な装置であり，上述したモード・ダイアル３，モード切換スイッチ４，フォーカス・スイッチ10などである。設定装置の設定状態が検出されると，その検出された設定状態を表すデータがフラッシュ・メモリ24に記憶される（ステップ53）。フラッシュ・メモリ24に記憶されている以前の設定状態を表わすデータは消去されるのはいうまでもない。その後，ディジタル・カメラ１の電源オフ処理が行われる（ステップ54）。
【００４０】
図４は，ディジタル・カメラ１の電源がオフされるときに設定装置に設定されていた設定状態を表わすテーブルの一例である。
【００４１】
このテーブルには，設定装置としてたとえば，モード・ダイアル３およびフォーカス・スイッチ10が示されている。電源オフ指令が与えられたときには，モード・ダイアル３は，オート・モードが設定されており，フォーカス・スイッチ10はシングル・オート・フォーカスが設定されていたことがわかる。このように，ディジタル・カメラ１の電源がオフされるときには，電源がオフされる前のディジタル・カメラ１の設定装置の設定状態がフラッシュ・メモリ24に記憶される。
【００４２】
図５は，ディジタル・カメラ１の電源がオンするときのディジタル・カメラ１の処理手順を示すフローチャートである。
【００４３】
電源スイッチ５からディジタル・カメラ１に電源オン指令が与えられると（ステップ61でＹＥＳ），電源回路28からディジタル・カメラ１の各回路に電源が供給される（ステップ62）。すると，ディジタル・カメラ１の電源オン後の設定装置の設定状態が検出される（ステップ63）。
【００４４】
検出された電源オン後の設定装置の設定状態と，フラッシュ・メモリ24に記憶されている電源オフ時（電源がオフされる直前）の設定装置の設定状態と，が比較される（ステップ64）。
【００４５】
電源オフ時の設定装置の設定状態と電源オン後の設定装置の設定状態とが異なっていると（ステップ65でＮＯ），電源がオフとなっている間に設定装置の設定位置が動いてしまったことを示している。電源オン時にユーザによって設定されている設定位置と異なる位置に設定されてしまうので，表示画面６に警告画像が表示される（ステップ66）。ディジタル・カメラ１に現像設定続行指令が与えられれば（ステップ67でＹＥＳ），ユーザは，設定状態が変わってしまっていることを認識してディジタル・カメラ１を利用することがわかる。ディジタル・カメラ１が撮像モードに設定されていると，撮像画像が表示画面６に表示される（ステップ68）。ディジタル・カメラ１が再生モードに設定されていると，再生画像が表示画面６に表示される。
【００４６】
現状設定続行指令が与えられなければ（ステップ67でＮＯ），ステップ63からの処理が繰り返される。
【００４７】
電源オフ時の設定装置の設定状態と電源オン後の設定装置の設定状態とが同じであれば（ステップ65でＹＥＳ），電源がオフとなっている間には設定装置の設定位置が動かなかったことを示している。このために，警告画像が表示されることなく，撮像画像が表示画面６に表示される（撮像モードの場合）（ステップ68）。電源オフ時の設定状態と電源オン後の設定装置の設定状態が異なっていても，その後の操作により，現在のディジタル・カメラ１の設定装置の設定状態と電源オフ時の設定装置の設定状態とが同じとなると，警告画像の表示から撮像画像の表示に切り替わる。
【００４８】
図６は，警告画像70の一例である。
【００４９】
警告画像70には，電源オフ時の設定装置の設定状態と電源オン後の設定装置の設定状態とが異なっていることを示す文章が表示される相違表示領域71，設定状態の変更の詳細が表示される設定状態表示領域72および続行指令表示領域76が含まれている。設定状態表示領域72には，電源オフ時の設定装置の設定状態と電源オン後の設定装置の設定状態とが異なっている設定装置を表示する領域73，電源オフ時の設定状態を示す領域74および電源オン後の設定状態を示す領域75が含まれている。領域73を見ることにより，設定状態が変わっている設定装置がわかる。また，領域74に表示されている設定状態と領域75に表示されている設定状態とを見ることにより，設定装置ごとに，どのように設定状態が変わったか，設定状態の変更前および変更後を知ることが分る。
【００５０】
続行指令領域76がタッチされると（表示画面６にはタッチ・パネルが形成されているのはいうまでもない），ユーザは，設定状態が変わっていることを認識した上で，現在の設定状態で操作することを望んでいると考えられるので，ディジタル・カメラ１は，その現在の設定状態で動作する。
【００５１】
図６に示す警告画像70では，電源オフ時のモード・ダイアル３は「AUTO」に設定されていたのに対し，電源オン後にはモード・ダイアル３が「ＳＰ」に動いたことを示している。また，電源オフ時のフォーカス・スイッチ10は「ＳＡＦ」に設定されていたのに対し，電源オン後にはフォーカス・スイッチ10が「ＭＦ」に動いたことを示している。
【００５２】
ユーザにより，フォーカス・スイッチ10が「ＭＦ」から電源オフ時の「ＳＡＦ」に戻されると，警告画像70は図７に示すものとなる。
【００５３】
図７に示す警告画像70においては，フォーカス・スイッチ10が「ＭＦ」から電源オフ時の「ＳＡＦ」に戻されたので，警告画像80の設定状態表示領域72に表示されていたフォーカス・スイッチ10についての情報が消去されている。さらに，ユーザにより，モード・ダイアル３が「ＳＰ」から電源オフ時の「AUTO」に戻されると，警告画像70は図８に示すものとなる。
【００５４】
図８に示す警告画像70おいては，電源オン後の設定装置の設定状態が電源オフ時の設定状態と同じとなっていることを示す領域77が含まれている。ユーザは，領域77の表示を見ることにより，設定装置の設定状態が電源オフ時のものとなったことを知る。その後，表示画面６には，撮像モードが設定されていると，図９に示すように，撮像画像79が表示される。撮像画像79の右上には，現在設定されているモードを表示する領域78も含まれている。この領域78を見ることにより，現在設定されているモードをユーザが確認できる。
【００５５】
図10から図12は，変形例を示すものである。
【００５６】
この変形例は，ディジタル・カメラ１に設定保持スイッチ15が設けられ，設定保持スイッチ15がオンされたときに，上述したように，電源オフ時の設定装置の設定状態と電源オン時の設定装置の設定状態とが比較され，警告画像70が表示されるものである。
【００５７】
図10は，ディジタル・カメラ１の底面図である。
【００５８】
ディジタル・カメラ１の底面に，上述した設定保持スイッチ15が設けられている。設定保持スイッチ15は，スライド・スイッチであり（スライド・スイッチでなくともよい），オン，オフの設定ができる。また，設定保持スイッチ15は機械スイッチであるが，機械スイッチでなく，表示画面６などに設定を映し出して，設定保持のオン，オフをさせるようにしてもよい。
【００５９】
図11は，電源オフの処理手順を示すフローチャートである。この図において，図３に示すものと同一の処理については同一符号を付して説明を省略する。
【００６０】
電源スイッチ５によってディジタル・カメラ１に電源オフ指令が与えられると（ステップ51でＹＥＳ），上述した設定保持スイッチ15がオンになっているかどうかが確認される（ステップ55）。設定保持スイッチ15がオンになっていると（ステップ55でＹＥＳ），上述のように，設定状態の検出および記憶が行われる（ステップ52，53）。設定保持スイッチ15がオフであると（ステップ55でＮＯ），ユーザは設定装置による設定位置が動いても構わないと考えられる。このために，上述した電源オフ時の設定状態と電源オン後の設定状態との比較は行われない。したがって，電源オフ時の設定状態も記憶されない。電源オフ時の設定状態が記憶されている場合には，その設定状態は消去されることとなろう。
【００６１】
図12は，電源オンの処理手順を示すフローチャートである。この図において，図５に示す処理と同一の処理については同一符号を付して説明を省略する。
【００６２】
ディジタル・カメラ１の電源がオンされると（ステップ61でＹＥＳ），各回路に電源が供給されて（ステップ62），設定保持スイッチ15がオンされているかどうかが確認される（ステップ69）。設定保持スイッチ15がオンされていると（ステップ69でＹＥＳ），ユーザは，電源がオフされている間に設定装置の設定状態が変わっているかどうかを知りたいと考えられるので，上述のように，電源オン後の設定状態が検出され（ステップ63），電源オフ時の設定状態と変わっていれば（ステップ65でＮＯ），警告画像70が表示される（ステップ66）。設定保持スイッチ15がオフされていると（ステップ69でＮＯ），ユーザは，電源がオフされている間に設定装置の設定状態が変わっても気にしないものと考えられるので，電源オフ時の設定状態と電源オン後の設定状態との比較は行われない。
【００６３】
ユーザは，必要と思うときにのみ電源オフ時の設定状態と電源オン後の設定状態との比較を行うことができる。
【００６４】
図13から図17は，他の変形例を示すものである。
【００６５】
この変形例は，上述のように，電源オフ時の設定装置の設定状態と電源オン後の設定装置の設定状態とが異なっていた場合に，電源オフ時の設定装置の設定状態に戻す方法をユーザに知らせるものである。
【００６６】
図13は，電源オン後のディジタル・カメラ１の処理手順の一部を示すフローチャートである。この図において図５に示す処理と同一の処理については同一符号を付して説明を省略する。
【００６７】
上述のように，電源オフ時の設定装置の設定状態と電源オン後の設定装置の設定状態とが異なっていると，図14に示す警告画像70Ａが表示される（ステップ66Ａ）。
【００６８】
図14は，警告画像70Ａの一例である。この図において，図６に示す警告画像70と同一物については同一符号を付して説明を省略する。
【００６９】
警告画像70Ａに含まれている設定状態表示領域72Ａには，詳細表示指令領域90Ａおよび90Ｂが含まれている。詳細表示指令領域90Ａおよび90Ｂは，電源オフ時の設定装置の設定状態と電源オン後の設定装置の設定状態とが異なっている場合に，電源オフ時の設定装置の設定状態に戻す方法を詳細に表示させるときに，ユーザによってタッチされる領域である。一方の詳細表示指令領域90Ａがタッチされると，モード・ダイアル73を電源オフ時の設定状態に戻す方法を示す詳細画像が表示画面６に表示される。他方の詳細表示指令領域90Ｂがタッチされると，フォーカス・スイッチ10を電源オフ時の設定状態に戻す方法を示す詳細画像が表示画面６に表示される。
【００７０】
図14に示す警告画像70が表示されている状態で，詳細表示指令領域90Ｂがタッチされたものとする。すると，詳細表示指令がディジタル・カメラ１に与えられる（図13ステップ81でＹＥＳ），表示画面６には図16に示す詳細画像が表示される（図13ステップ82）。
【００７１】
詳細画像には，タッチされた詳細表示指令領域90Ｂに対応した設定装置（この場合は，フォーカス・スイッチ10）の部分の画像91Ａおよび閉じる領域94Ａが含まれている。その画像91Ａには，設定装置であるフォーカス・スイッチ10を示す枠92Ａが図示されており，そのフォーカス・スイッチ10をどのようにしたら，電源オフ時の設定状態となるかを示す詳細な説明文93Ａも含まれている。ユーザは，画像91Ａを見ながら，フォーカス・スイッチ10が電源オフ時の設定状態となるように戻す。電源オフ時の設定状態に戻されると（ステップ83でＹＥＳ），閉じる領域94Ａがタッチされる（図13ステップ84でＹＥＳ）。すると詳細画像が閉じられる（図13ステップ85）。表示画面は，図15に示す警告画像70Ａに切り替わる。
【００７２】
図15を参照して，フォーカス・スイッチ10が電源オフ時の設定状態に戻されると，詳細領域72Ａからはフォーカス・スイッチ10についての情報は消去される。上述したのと同様に，詳細表示指令領域90Ａがタッチされると，表示画面６には図17に示す詳細画像91Ｂが表示画面６に表示される。
【００７３】
図17を参照して，詳細画像にはディジタル・カメラ１の上面図の画像91Ｂが含まれている。この画像91Ｂのうち設定装置（この場合はモード・ダイアル３）が形成されている部分が枠92Ｂで囲まれている。また，この枠92Ｂ内の画像が拡大されている画像92Ｃが表示されている。拡大画像92Ｃの下に電源オフ時の設定状態に戻す方法を示す文章93Ｂが記載されている。また，文章93Ｂの下に，閉じる領域94Ｂが表示されている。
【００７４】
ユーザは，詳細画像91Ｂを見ることにより，モード・ダイアル３を電源オフ時の設定状態に戻す方法を知ることができ，モード・ダイアル３を電源オフ時の設定状態に戻すことができるようになる。
【００７５】
ディジタル・カメラ１の操作に不慣れなユーザであっても，電源オフ時の設定装置の設定状態に戻すことができるようになる。
【００７６】
図18から図24は，他の実施例を示すものである。
【００７７】
この実施例は，設定装置の設定位置が変わる頻度が多い場合には，電源がオフされている間に設定位置が変わらないように，設定装置をロックするものである。
【００７８】
図18および図19は，電源オン時の処理手順を示すフローチャートである。これらの図において，図５に示す処理と同一の処理については同一符号を付して説明を省略する。
【００７９】
この実施例では，上述のように，電源がオンされたときに設定装置の設定位置が変わっていると，その設定位置が変わっている設定装置の変更回数がカウントされる。そのカウント値がしきい値以上であると，その設定装置がロックされる。
【００８０】
ディジタル・カメラ１の電源がオンされると（図18ステップ61でＹＥＳ），各回路に電源が供給され（図18ステップ62），フラグがオンされる（図18ステップ101）。このフラグは，ディジタル・カメラ１の電源がオンされた直後にのみカウント動作が行われるようにするためのものである。設定装置の設定状態が検出され（図18ステップ63），ロックされている設定装置があれば，そのロックが解除される（図18ステップ102）。
【００８１】
電源オフ時の設定状態と電源オン後の設定状態とが異なっていると（図18ステップ65でＮＯ），警告画像が表示され（図18ステップ66），フラグがオンかどうかが確認される（図19ステップ103でＹＥＳ）。フラグがオンであれば（図19ステップ103でＹＥＳ），まだカウント処理は行われていないことを示しているので，設定が変更された設定装置のカウンタがインクレメントされる（図19ステップ104）。カウント値がしきい値以上の設定装置があれば（図19ステップ105でＹＥＳ），しきい値以上の設定装置がロック対象に設定される（図19ステップ106）。ロック対象に設定された設定装置名が表示画面６に表示される（図19ステップ107）。
【００８２】
図20は，ディジタル・カメラ１のフラッシュ・メモリ24に記憶されるカウント・テーブルの一例である。
【００８３】
カウント・テーブルには，設定装置に対応してカウント値が格納されている。上述したように，電源がオフされている間に設定が変更されると，その変換された設定装置に対応するカウント値がインクレメントされる。
【００８４】
図21は，ディジタル・カメラ１のフラッシュ・メモリ24に記憶されるロック対象設定装置テーブルの一例である。
【００８５】
上述したように，しきい値以上のカウント値に対応する設定装置がロック対象となる。そのロック対象となった設定装置がロック対象設定装置テーブルに格納される。
【００８６】
図22は，警告画像70Ｂの一例である。この図において，図６等に示すものと同一物については同一符号を付して説明を省略する。フォーカス・スイッチ10がロック対象の設定装置とされたものとする。
【００８７】
警告画像70Ｂに含まれる設定状態表示領域72Ｂには，設定位置が変わる頻度が多いことをユーザに知らせる領域110および電源がオフの間，設定位置が変わらないようにロックされることを示す文章111が含まれる。図22の例では，その文章111は，フォーカス・スイッチに対応して表示されており，フォーカス・スイッチ10の操作位置が変わる頻度が高く，ロック対象項目に設定されていることをユーザに知らせている。ユーザは，ディジタル・カメラ１の電源がオフされることにより，フォーカス・スイッチ10がロックされることが分る。フォーカス・スイッチ10以外の設定装置，たとえば，モード・ダイアル３は，カウント値がしきい値を超えない限りロックされない。
【００８８】
図23は，電源オフの処理手順を示すフローチャートである。この図において，図３に示す処理と同一の処理については同一符号を付して説明を省略する。
【００８９】
電源オフ指令が与えられると（ステップ51でＹＥＳ），電源オフ処理（ステップ54）が行われる前に，ロック対象の設定装置がロックされる（ステップ112）。設定位置の頻度が高い設定装置がロックされるので，電源がオフされている間に設定位置が変わってしまうことを未然に防止できる。
【００９０】
図24の符号ＦＡで示す図は，フォーカス・スイッチ10の正面図，図24の符号ＦＢからＦＥで示す図は，フォーカス・スイッチ10のロックおよびその解除の様子を示すもので，図24の符号ＦＥで示す図のXXIV−XXIV線から見た断面図である。図24の符号ＦＢで示す図は，電源がオンの間の様子を示し，図24の符号ＦＣで示す図は，電源がオフしたときの様子を示し，図24の符号ＦＤで示す図は，電源がオフの間の様子を示し，図24の符号ＦＥで示す図は，電源がオンしたときの様子を示している。
【００９１】
図24の符号ＦＡで示す図，図24の符号ＦＢで示す図などを参照して，フォーカス・スイッチ10には，上述したようにレバー11が含まれている。このレバー11の裏側には係合凹所13が形成されている。
【００９２】
図24の符号ＦＢで示す図を参照して，フォーカス・スイッチ10が設けられているディジタル・カメラ１の一側面18には角柱のロック部材44Ａが一側面18から進退自在に設けられている。ディジタル・カメラ１の一側面18には，フォーカス・スイッチ10のレバー11が中央の位置にあるときに（レバー11が「ＳＡＦ」の位置にあるときに），対向する開口18Ａが形成されている。この開口18Ａからロック部材44が，自動ロック装置44によってディジタル・カメラ１の一側面18から進退する。
【００９３】
図24の符号ＦＢで示す図を参照して，ディジタル・カメラ１の電源がオンしている間は，ロック部材44は，ディジタル・カメラ１の外部に進出せずにディジタル・カメラ１の内部に退避している。ユーザは，フォーカス・スイッチ10のレバー11を動かすことができる。
【００９４】
図24の符号ＦＣで示す図を参照して，ディジタル・カメラ１の電源がオフすると，自動ロック装置44によってロック部材44Ａがディジタル・カメラ１の外部に進出する。フォーカス・スイッチ10のレバー11が「ＳＡＦ」に設定されており，中央に位置決めされているときには，ディジタル・カメラ１の外部に進出したロック部材44がレバー11に形成されている係合凹所13に入り込み，フォーカス・スイッチ10がロックされる。フォーカス・スイッチ10のレバー11が「ＳＡＦ」以外の「ＣＡＦ」または「ＭＦ」に設定されていると，ロック部材44Ａがディジタル・カメラ１の外部に進出してもロック部材44はレバー11に形成されている係合凹所13に入らない。しかしながら，ロック部材44Ａは，ディジタル・カメラ１の外部に進出するので，レバー11を回そうとすると，レバー11の側面とロック部材44Ａとが衝突し，レバー11が回らなくなる。フォーカス・スイッチ10のレバー11が「ＳＡＦ」以外の「ＣＡＦ」または「ＭＦ」に設定されている場合もフォーカス・スイッチ10がロック部材44Ａによってロックされる。
【００９５】
図24の符号ＦＤで示す図を参照して，電源がオフの間は，ロック部材44Ａがディジタル・カメラ１の外部に進出しているので，フォーカス・スイッチ10はロックされた状態が維持される。電源がオフの間は，自動ロック装置44には電源が供給されていず，電力消費が抑えられる。
【００９６】
図24の符号ＦＥで示す図を参照して，電源がオンされると，自動ロック装置44によってロック部材44Ａがディジタル・カメラ１内部に退避させられる。フォーカス・スイッチ10のロックが解除させられる。
【００９７】
ロック部材44を進退させることにより，フォーカス・スイッチ10をロックしているが，フォーカス・スイッチ10の軸12を挟むことにより，フォーカス・スイッチ10の回転を停止させる開閉自在な把持部材（図示略）を設けてもよい。このような把持部材は，引っ張りバネなどにより通常は閉じており，電源がオンしている間は自動ロック装置44によって把持部材が開かれる。電源がオフすることにより把持部材が閉じられる。把持部材によってフォーカス・スイッチ10をロックできる。そのような把持部材でも電源のオフ中は自動ロック装置44による把持部材の制御は不要なので，電源のオフ中は電力が不要となる。また，モード・ダイアル３についても同様の把持部材を利用してロックすることができるのはいうまでもない。
【００９８】
上述したカウント値は，ユーザからのリセット指令に応じてクリアされる。
【００９９】
図25は，変形例を示すもので，表示画面６に表示される警告画像70Ｃの一例である。図25において，図６等に示すものと同一物については同一符号を付して説明を省略する。
【０１００】
上述した実施例では，設定装置ごとにカウントし，しきい値を超えたカウント値に対応した設定装置がロックされるが，設定装置ごとにカウントし，カウント値がしきい値を超えるとロック可能なすべての設定装置をロックするようにしてもよい。このように，カウント値がしきい値を超えた場合にロック可能なすべての設定装置をロックする設定装置名を表示する警告画像70Ｃが図25に示すものである。
【０１０１】
上述のように，カウント値がしきい値以上の設定装置があると（図19ステップ105でＹＥＳ），ロック可能なすべての設定装置がロック対象に設定される（図19ステップ106）。すると，ロック対象に設定された設定装置名が図25に示すように表示される（図19ステップ107）。
【０１０２】
図25を参照して，警告画像70Ｃには，ロック可能なすべての設定装置がロック対象に設定されたことを示す文章112が表示されている。ユーザは，この文章112を見ることにより，ロック可能なすべての設定装置がロックされることを知ることとなる。
【０１０３】
ディジタル・カメラ１の電源がオフされると，ロック可能なすべての設定装置がロックされる（図23ステップ112）。
【０１０４】
図26から図31は，他の実施例を示している。上述した実施例では，自動でロックされるが，この実施例では，電源がオフされているときに設定位置が変わってしまうことが多い設定装置についてはユーザが自らロックすることを推奨するものである。
【０１０５】
図26は，ディジタル・カメラ１の電源オン時の処理手順の一部を示すフローチャートであり，図19の処理手順に対応している。
【０１０６】
上述のように，電源がオフの間に設定が変更された設定装置のカウンタがインクレメントされ（ステップ104），カウント値がしきい値以上の設定装置があると（ステップ105），しきい値以上のカウント値に対応する設定装置が電源オフの間，ロックすべき推奨設定装置に設定される（ステップ106Ａ）。すると，推奨設定装置名を含む警告画像が表示画面６に表示される（ステップ107Ａ）。
【０１０７】
図27は，警告画像70Ｄの一例である。この図において，図６，図22等に示すものと同一物については同一符号を付して説明を省略する。
【０１０８】
警告画像70Ｄには，設定状態表示領域72Ｄに，フォーカス・スイッチ10が電源オフ中にロック推奨設定装置に設定された旨の文章113が表示されている。ユーザは，この文章113を見ることにより，フォーカス・スイッチ10が，電源がオフの間設定位置が変わってしまう頻度が高いのでフォーカス・スイッチ10を手動でロックすべきであることを知る。
【０１０９】
図28は，ディジタル・カメラ１の電源をオフする処理手順を示すフローチャートである。この図において，図３に示す処理と同一の処理については同一符号を付して説明を省略する。
【０１１０】
上述のように電源オフ指令が与えられると（ステップ51でＹＥＳ），電源オフ処理が行われる（ステップ54）前に，ロックの推奨が表示される（ステップ126Ａ）。
【０１１１】
図29は，ロック推奨画像116の一例である。
【０１１２】
ロック推奨画像116には，上述したように，カウント値がしきい値を超えた設定装置（たとえば，フォーカス・スイッチ10）のロックを推奨する文章114が含まれている。ユーザは，この文章114を見ることにより，設定位置が変わる頻度が高いフォーカス・スイッチ10をロックした方がいいことを知る。もっとも，ロック可能なすべての設定装置のロックを推奨するようにしてもよい。
【０１１３】
ロック推奨画像116には，詳細表示指令領域115も含まれている。その詳細表示指令領域115がタッチされると，表示画面６には，図30に示すロック方法詳細画像121が表示される。
【０１１４】
図30を参照してロック方法詳細画像121には，ロック対象となる設定装置（ここでは，フォーカス・スイッチ10であるが，モード・ダイアル３であってもよい）の画像が含まれている。ロック対象となる設定装置は枠122で囲まれている。その枠122の右側に，ロックの方法を示す文章124が表示されている。この実施例では，フォーカス・スイッチ10の中央に押下自在なピン123があり，そのピン123を押すことによりフォーカス・スイッチ10がロックされることが分る。ロックの方法を示す文章124の下には，ロック方法詳細画像121を閉じるときにタッチされる領域125が表示されている。
【０１１５】
ユーザは，ロック方法詳細画像121を見ながら，設定装置を自らロックすることとなる。
【０１１６】
図31は，手動ロック装置の構成を示している。これらの図において，図24に示すものと同一物については同一符号を付して説明を省略する。
【０１１７】
図31の上図は，ロック解除状態を示すもので，底面から見たフォーカス・スイッチ10近傍の断面図，図31の下図は，ロック状態を示すもので，底面から見たフォーカス・スイッチ10近傍の断面図である。図31の上図および下図はいずれも図24の符号ＦＡで示す図のXXIV−XXIV線から見た断面図に相当する。
【０１１８】
ディジタル・カメラ１内部には，ディジタル・カメラ１の一側面18を挟んでフォーカス・スイッチ10と対向する傾動部材140が設けられている。この傾動部材140は，支点部材141を支点として傾く。
【０１１９】
シャッタ・スイッチ10の軸12中には第１の長ピン131が通っており，その第１の長ピン131の先端部にはバネなどの弾性部材132が形成されており，その弾性部材132が傾動部材140の支点141の左側の部材140Ａと固定されている。また，上述したように，ロック部材44Ａの先端部44Ｂにも弾性部材44Ｂが形成されており，その弾性部材44Ｂが傾動部材140の支点141の右側の部材140Ｂと固定されている。さらに，第２の長ピン150がディジタル・カメラ１の一側面18に進退自在に設けられている。第２の長ピン150の先端部にも弾性部材153が形成されており，その弾性部材153が傾動部材140の右端部に固定されている。第２の長ピン150は，円柱の本体151を備え，その本体151の周面から径方向に突出した係合凸部152が形成されている。第２の長ピン150は，規制部材160に形成されている鍵穴状の貫通孔161を通ってディジタル・カメラ１内部に進退自在となっている。
【０１２０】
図32は，規制部材160の上面図である。
【０１２１】
規制部材160は，円環であり，上述のように中央に鍵穴状の貫通孔161があいている。この貫通孔161には，径方向に伸びている開口部162が形成されている。
【０１２２】
図33の上図は，第２の長ピン150に形成されている係合凸部152と開口部162とが一致している状態を示すもので，図31の上図において上部から規制部材160と第２の長ピン150とを見ているものである。
【０１２３】
規制部材160の貫通孔161に第２の長ピン150が通る。第２の長ピン150に形成されている係合凸部152と開口部162とが合うと，係合凸部152は開口部162内を通ることができるので，第２の長ピン150は図31の上図において上下方向に動くことができる。
【０１２４】
図33の下図は，第２の長ピン150が，図33の上図に示す状態から90度反時計方向に回され，第２の長ピン150に形成されている係合凸部152と開口部162とが一致していない状態を示すもので，図31の上図において上部から規制部材160と第２の長ピン150とを見ているものである。
【０１２５】
このように，第２の長ピン150が軸を中心に回転させられると，係合凸部152が開口部162を通らないので，第２の長ピン150は図31において上下方向に動くことができない。
【０１２６】
図31の上図に戻って，ロック解除状態では，規制部材160の貫通孔161に第２の長ピン150が通り，第２の長ピン150に形成されている係合凸部152と開口部162とが一致させられている。第２の長ピン150が押され，ディジタル・カメラ１内部に進入する。すると，ロック部材44Ａもディジタル・カメラ１内部に進入し，フォーカス・スイッチ10のロックが解除される。
【０１２７】
図31の下図を参照して，ロック状態では，係合凸部152が規制部材160よりも上側に進出している状態で，第２の長ピン150が反時計回りに90度回される。すると，上述のように，係合凸部152が開口部162を通らないので，第２の長ピン150は図31において上下方向に動くことができない。第２の長ピン150によって傾動部材140の右側部分が上方向に引っ張られるので，ロック部材44Ａがディジタル・カメラ１から外部に進出し，フォーカス・スイッチ10がロックされる。
【０１２８】
このようにして，フォーカス・スイッチ10を手動ロックできるようになる。モード・ダイアル３についてもフォーカス・スイッチ10と同じ構造にすることにより手動ロックできるようになる。また，モード・ダイアル３の外周に複数の凹部を形成し，その凹部に係合する部材を取り付けても手動ロックすることができる。
【符号の説明】
【０１２９】
１  ディジタル・カメラ（撮像装置）
３  モード・ダイアル（設定手段）
４  モード切換スイッチ（設定手段）
10  フォーカス・スイッチ（設定手段）
20  制御回路
28  電源回路（電源制御手段）
24  フラッシュ・メモリ（設定状態記憶手段）
47  表示装置（報知手段）
【図１】
0005612773.tif 000002
【図２】
0005612773.tif 000003
【図３】
0005612773.tif 000004
【図４】
0005612773.tif 000005
【図５】
0005612773.tif 000006
【図６】
0005612773.tif 000007
【図７】
0005612773.tif 000008
【図８】
0005612773.tif 000009
【図９】
0005612773.tif 000010
【図１０】
0005612773.tif 000011
【図１１】
0005612773.tif 000012
【図１２】
0005612773.tif 000013
【図１３】
0005612773.tif 000014
【図１４】
0005612773.tif 000015
【図１５】
0005612773.tif 000016
【図１６】
0005612773.tif 000017
【図１７】
0005612773.tif 000018
【図１８】
0005612773.tif 000019
【図１９】
0005612773.tif 000020
【図２０】
0005612773.tif 000021
【図２１】
0005612773.tif 000022
【図２２】
0005612773.tif 000023
【図２３】
0005612773.tif 000024
【図２４】
0005612773.tif 000025
【図２５】
0005612773.tif 000026
【図２６】
0005612773.tif 000027
【図２７】
0005612773.tif 000028
【図２８】
0005612773.tif 000029
【図２９】
0005612773.tif 000030
【図３０】
0005612773.tif 000031
【図３１】
0005612773.tif 000032
【図３２】
0005612773.tif 000033
【図３３】
0005612773.tif 000034